(57)【要約】【課題】媒体からの識別情報の読み取りに応じて適切な処理を実行できる、画像処理装置、情報処理方法、プログラムおよび情報処理システムを提供する。【解決手段】ログアウト状態でＩＣカードのカード番号が読み取られて（Ｓ２１：ＹＥＳ）、そのカード番号がユーザ名と紐づけて不揮発性メモリに記憶されている場合には（Ｓ２２：ＹＥＳ）、ログイン処理が実行されて（Ｓ２３）、そのユーザ名のユーザがログイン状態となる。また、ログイン状態でＩＣカードのカード番号が読み取られた場合であって（Ｓ２５：ＹＥＳ）、カード番号に対応するショートカット設定が不揮発性メモリに記憶されている場合には（Ｓ２６：ＹＥＳ）、そのショートカット設定を操作パネルに呼び出して表示させる処理が実行される（Ｓ２８）。【選択図】図５Ａ
2020068480.tif 000002
【特許請求の範囲】
【請求項１】
機能を実行する機能実行部と、
外部の媒体から識別情報を読み取る情報読取部と、
表示部と、
記憶部と、
制御部と、を備え、
前記記憶部は、
前記識別情報に対応する認証情報と、
前記識別情報に対応する表示情報と、を記憶し、
前記制御部は、
前記媒体から前記情報読取部に読み取らせる読取処理と、
前記読取処理で前記情報読取部に読み取られた前記識別情報に対応する前記認証情報が前記記憶部に記憶されているか否かを判断する第１判断処理と、
前記第１判断処理で前記認証情報が前記記憶部に記憶されていると判断した場合、ログアウト状態から前記認証情報に応じた権限の範囲内での前記機能実行部による機能の実行が許可されるログイン状態に遷移させるログイン処理と、
前記ログイン状態で前記読取処理を再び実行して、前記情報読取部に再び読み取られた前記識別情報が前記第１判断処理に用いられた前記識別情報と同一である場合、再び読み取られた前記識別情報に対応する前記表示情報が前記記憶部に記憶されているか否かを判断する第２判断処理と、
前記第２判断処理で前記表示情報が前記記憶部に記憶されていると判断した場合、前記情報読取部に再び読み取られた前記識別情報に対応する前記表示情報を前記表示部に表示させる表示処理と、を実行する、画像処理装置。
【請求項２】
請求項１に記載の画像処理装置であって、
前記制御部は、
前記ログアウト状態から前記ログイン状態に遷移してから所定時間内に前記読取処理を再び実行した場合に、前記第２判断処理を実行する、画像処理装置。
【請求項３】
請求項１または２に記載の画像処理装置であって、
前記制御部は、
前記ログアウト状態から前記ログイン状態に遷移してから前記読取処理を再び実行せずに所定時間が経過した場合、前記ログイン状態から前記ログアウト状態に遷移させるログアウト処理を実行する、画像処理装置。
【請求項４】
請求項１〜３のいずれか一項に記載の画像処理装置であって、
前記制御部は、
前記第１判断処理で前記認証情報が前記記憶部に記憶されていないと判断した場合、前記読取処理で読み取らせた前記識別情報に対応する前記表示情報が前記記憶部に記憶されているか否かを判断する第３判断処理と、
前記第３判断処理で前記表示情報が前記記憶部に記憶されていると判断した場合、前記情報読取部に再び読み取られた前記識別情報に対応する前記表示情報を前記表示部に表示させる第２表示処理と、を実行する、画像処理装置。
【請求項５】
請求項４に記載の画像処理装置であって、
前記表示情報には、前記ログアウト状態で実行可能な機能に関する設定のために選択的に操作される選択キーが含まれる、画像処理装置。
【請求項６】
請求項１〜５のいずれか一項に記載の画像処理装置であって、
前記制御部は、
前記ログイン状態で前記読取処理を再び実行して、前記情報読取部に再び読み取られた前記識別情報が前記第１判断処理に用いられた前記識別情報と同一でない場合、前記ログイン状態から前記ログアウト状態に遷移させ、前記情報読取部に再び読み取られた前記識別情報に対応する前記認証情報が前記記憶部に記憶されているか否かを判断し、前記認証情報が前記記憶部に記憶されていると判断した場合、前記ログアウト状態から前記情報読取部に再び読み取られた前記識別情報に対応する前記認証情報に応じた権限の範囲内での前記機能実行部による機能の実行が許可されるログイン状態に遷移させるユーザ切替処理を実行する、画像処理装置。
【請求項７】
機能を実行する機能実行部と、
外部の媒体から識別情報を読み取る情報読取部と、
前記識別情報に対応する認証情報と、前記識別情報に対応する表示情報とを記憶する記憶部と、
表示部と、を備える画像処理装置で実行される情報処理方法であって、
前記情報読取部が前記媒体から前記識別情報を読み取り、
前記情報読取部に読み取られた前記識別情報に対応する前記認証情報が前記記憶部に記憶されている場合、ログアウト状態から前記認証情報に応じた権限の範囲内での前記機能実行部による機能の実行が許可されるログイン状態に遷移し、
前記ログイン状態で前記情報読取部が前記媒体から前記識別情報を再び読み取り、再び読み取られた前記識別情報が先に読み取られた前記識別情報と同一であり、再び読み取られた前記識別情報に対応する前記表示情報が前記記憶部に記憶されている場合、再び読み取られた前記識別情報に対応する前記表示情報を前記表示部に表示する、情報処理方法。
【請求項８】
機能を実行する機能実行部と、
外部の媒体から識別情報を読み取る情報読取部と、
前記識別情報に対応する認証情報と、前記識別情報に対応する表示情報とを記憶する記憶部と、
表示部と、を備える画像処理装置のコンピュータにインストールされるプログラムであって、
前記コンピュータに、
前記媒体から前記情報読取部に読み取らせる読取処理と、
前記読取処理で前記情報読取部に読み取られた前記識別情報に対応する前記認証情報が前記記憶部に記憶されているか否かを判断する第１判断処理と、
前記第１判断処理で前記認証情報が前記記憶部に記憶されていると判断した場合、ログアウト状態から前記認証情報に応じた権限の範囲内での前記機能実行部による機能の実行が許可されるログイン状態に遷移させるログイン処理と、
前記ログイン状態で前記読取処理を再び実行して、前記情報読取部に再び読み取られた前記識別情報が前記第１判断処理に用いられた前記識別情報と同一である場合、再び読み取られた前記識別情報に対応する前記表示情報が前記記憶部に記憶されているか否かを判断する第２判断処理と、
前記第２判断処理で前記表示情報が前記記憶部に記憶されていると判断した場合、前記情報読取部に再び読み取られた前記識別情報に対応する前記表示情報を前記表示部に表示させる表示処理と、を実行させる、プログラム。
【請求項９】
画像処理装置と、前記画像処理装置と通信可能に接続されたサーバとを含む情報処理システムであって、
前記画像処理装置は、
機能を実行する機能実行部と、
外部の媒体から識別情報を読み取る情報読取部と、
表示部と、を備え、
前記サーバは、記憶部を備え、
前記記憶部は、
前記識別情報に対応する認証情報と、
前記識別情報に対応する表示情報と、を記憶し、
前記画像処理システムは、制御部を備え、
前記制御部は、
前記媒体から前記情報読取部に読み取らせる読取処理と、
前記読取処理で前記情報読取部に読み取られた前記識別情報に対応する前記認証情報が前記記憶部に記憶されているか否かを判断する第１判断処理と、
前記第１判断処理で前記認証情報が前記記憶部に記憶されていると判断した場合、ログアウト状態から前記認証情報に応じた権限の範囲内での前記機能実行部による機能の実行が許可されるログイン状態に遷移させるログイン処理と、
前記ログイン状態で前記読取処理を再び実行して、前記情報読取部に再び読み取られた前記識別情報が前記第１判断処理に用いられた前記識別情報と同一である場合、再び読み取られた前記識別情報に対応する前記表示情報が前記記憶部に記憶されているか否かを判断する第２判断処理と、
前記第２判断処理で前記表示情報が前記記憶部に記憶されていると判断した場合、前記情報読取部に再び読み取られた前記識別情報に対応する前記表示情報を前記表示部に表示させる表示処理と、を実行する、情報処理システム。
【発明の詳細な説明】
【技術分野】
【０００１】
本発明は、複合機（ＭＦＰ：Multi-Function Peripheral）などの画像処理装置、画像処理装置で実行される情報処理方法、画像処理装置のコンピュータにインストールされるプログラム、および画像処理装置を含む情報処理システムに関する。
【背景技術】
【０００２】
従来、スキャナやプリンタ、複合機などの画像処理装置には、ショートカット機能を有するものがある。ショートカット機能を有する画像処理装置では、スキャンなどの各種機能に関する設定が予め登録されて、機能の実行に際してその登録されている設定が呼び出される。
【０００３】
この設定の呼び出しに識別情報が記憶されたカードを用いる仕様が提案されている（たとえば、特許文献１参照）。その仕様では、機能に関する設定が識別情報と対応づけて登録されており、画像処理装置に備えられたカードリーダによりカードから識別情報が読み取られると、識別情報に対応づけられた設定が呼び出され、その設定に従って機能が実行される。
【先行技術文献】
【特許文献】
【０００４】
【特許文献１】特開２０１６−１００５９号公報
【発明の概要】
【発明が解決しようとする課題】
【０００５】
ところで、カードリーダを備える画像処理装置には、カードリーダによりカードから識別情報が読み取られると、その識別情報に対応するユーザの認証情報が登録されているか否かが判断されて、識別情報に対応する認証情報が登録されている場合、ユーザに付与された権限の範囲内で機能の実行を許可するものがある。この画像処理装置では、１枚のカードを機能に関する設定の呼び出しとユーザ認証とに共用することが考えられる。
【０００６】
本発明の目的は、媒体からの識別情報の読み取りに応じて適切な処理を実行できる、画像処理装置、情報処理方法、プログラムおよび情報処理システムを提供することである。
【課題を解決するための手段】
【０００７】
前記の目的を達成するため、本発明の一の局面に係る画像処理装置は、機能を実行する機能実行部と、外部の媒体から識別情報を読み取る情報読取部と、表示部と、記憶部と、制御部と、を備え、記憶部は、識別情報に対応する認証情報と、識別情報に対応する表示情報と、を記憶し、制御部は、媒体から情報読取部に読み取らせる読取処理と、読取処理で情報読取部に読み取られた識別情報に対応する認証情報が記憶部に記憶されているか否かを判断する第１判断処理と、第１判断処理で認証情報が記憶部に記憶されていると判断した場合、ログアウト状態から認証情報に応じた権限の範囲内での機能実行部による機能の実行が許可されるログイン状態に遷移させるログイン処理と、ログイン状態で読取処理を再び実行して、情報読取部に再び読み取られた識別情報が第１判断処理に用いられた識別情報と同一である場合、再び読み取られた識別情報に対応する表示情報が記憶部に記憶されているか否かを判断する第２判断処理と、第２判断処理で表示情報が記憶部に記憶されていると判断した場合、情報読取部に再び読み取られた識別情報に対応する表示情報を表示部に表示させる表示処理と、を実行する。
【０００８】
この構成によれば、ログアウト状態で媒体の識別情報が情報読取部に読み取られた場合には、その識別情報に対応する認証情報が記憶部に記憶されているか否かが判断されて、認証情報が記憶部に記憶されている場合には、ログアウト状態からログイン状態に遷移させるログイン処理が実行される。また、ログイン状態で媒体の識別情報が情報読取部に読み取られた場合には、識別情報に対応する表示情報が記憶部に記憶されているか否かが判断されて、表示情報が記憶部に記憶されている場合には、その表示情報を表示部に表示させる表示処理が実行される。
【０００９】
よって、媒体からの識別情報の読み取りに応じて適切な処理を実行することができる。
【００１０】
なお、本発明は、画像処理装置の形態で実現できるだけでなく、たとえば、画像処理装置で実行される情報処理方法、画像処理装置のコンピュータにインストールされるプログラム、および画像処理装置を含む情報処理システムの形態で実現することもできる。
【発明の効果】
【００１１】
本発明によれば、媒体からの識別情報の読み取りに応じて適切な処理を実行することができる。
【図面の簡単な説明】
【００１２】
【図１】本発明の一実施形態に係るＭＦＰの電気的構成を示すブロック図である。
【図２】登録処理の流れを示すフローチャートである。
【図３Ａ】未ログイン画面の一例を示す図である。
【図３Ｂ】未ログイン状態で表示されるユーザメニュー画面の一例を示す図である。
【図３Ｃ】ユーザ切替画面の一例を示す図である。
【図３Ｄ】パスワード入力画面の一例を示す図である。
【図３Ｅ】ログイン中画面の一例を示す図である。
【図３Ｆ】ログイン状態で表示されるユーザメニュー画面の一例を示す図である。
【図３Ｇ】カード登録画面の一例を示す図である。
【図３Ｈ】カード登録確認画面の一例を示す図である。
【図３Ｉ】ショートカット登録確認画面の一例を示す図である。
【図４Ａ】ユーザ管理テーブルの一例を示す図である。
【図４Ｂ】不揮発性メモリに紐づけて記憶されているカード番号およびショートカット設定の一例を示す図である。
【図５Ａ】カードタッチ処理の流れを示すフローチャート（その１）である。
【図５Ｂ】カードタッチ処理の流れを示すフローチャート（その２）である。
【図６Ａ】ローディング画面および設定内容表示画面の一例を示す図である。
【図６Ｂ】エラー画面の一例を示す図である。
【図６Ｃ】未登録通知画面の一例を示す図である。
【発明を実施するための形態】
【００１３】
以下では、本発明の実施の形態について、添付図面を参照しつつ詳細に説明する。
【００１４】
＜ＭＦＰの電気的構成＞
図１に示されるＭＦＰ１（画像処理装置の一例）は、複数の機能を有している。複数の機能は、プリント機能、スキャン機能、コピー機能およびファックス機能に大別される。プリント機能は、画像データに係る画像をシートに形成する機能である。スキャン機能は、画像を読み取って画像データを生成する機能である。コピー機能は、画像を読み取ってその画像をシートに形成する機能である。ファックス機能は、シートに形成される画像の画像データを外部の機器との間で送受信する機能である。
【００１５】
スキャン機能には、その詳細機能として、画像の読み取りによって生成される画像データをＰＣ（パーソナルコンピュータ）やＵＳＢ（Ｕｎｉｖｅｒｓａｌ  Ｓｅｒｉａｌ  Ｂｕｓ）デバイスなどの外部の機器に送信する通常スキャン機能以外に、その画像データを電子メールに添付して外部の機器に送信するスキャンメール機能が含まれる。コピー機能には、その詳細機能として、画像をカラーで読み取ってカラー画像をシートに形成するカラーコピー機能、画像をモノクロで読み取ってモノクロ画像をシートに形成するモノクロコピー機能が含まれる。また、コピー機能には、複数の画像を読み取って複数の画像をシートに集約して形成する集約コピー機能が含まれる。ファックス機能には、その詳細機能として、画像データを外部の機器との間で公衆電話回線を介して送受信する通常ファックス機能以外に、画像データを電子メールに添付して外部の機器との間で送受信するインターネットファックス機能が含まれる。
【００１６】
ＭＦＰ１は、それらの各種の機能を実行するため、画像形成部１１（機能実行部の一例）、画像読取部１２（機能実行部の一例）、ＬＡＮ（Ｌｏｃａｌ  Ａｒｅａ  Ｎｅｔｗｏｒｋ）インタフェース１３、ＦＡＸインタフェース１４（機能実行部の一例）およびＵＳＢインタフェース１５を備えている。
【００１７】
画像形成部１１は、ＭＦＰ１の外殻をなす筐体内の搬送経路を搬送されるシートに画像を形成する機構である。画像形成部１１による画像形成の方式は、電子写真方式であってもよいし、インクジェット方式であってもよい。
【００１８】
画像読取部１２は、筐体に支持されるコンタクトガラス上の原稿をイメージセンサで読み取って、原稿の画像データを生成する機構である。画像読取部１２による画像読取の方式は、コンタクトガラス上を通過する原稿を読み取る方式であってもよいし、コンタクトガラス上で静止した原稿を読み取る方式であってもよい。
【００１９】
ＬＡＮインタフェース１３は、ＬＡＮ３を経由したネットワーク通信のための回路などを備えている。ＬＡＮ３は、有線ＬＡＮまたは無線ＬＡＮで構成されていてもよいし、有線ＬＡＮおよび無線ＬＡＮの両方で構成されていてもよい。ＬＡＮ３は、インターネット４に接続されており、ＭＦＰ１は、ＬＡＮ３およびインターネット４を経由して、インターネット４上に置かれたサーバ５と通信可能である。
【００２０】
ＦＡＸインタフェース１４は、通常ファックス機能で使用される公衆電話回線との接続のためのインタフェースであり、ＮＣＵ（Ｎｅｔｗｏｒｋ  Ｃｏｎｔｒｏｌ  Ｕｎｉｔ）を内蔵したモデムなどを備えている。
【００２１】
ＵＳＢインタフェース１５は、ＵＳＢデバイスとのデータ通信のためのインタフェースである。
【００２２】
また、ＭＦＰ１は、操作パネル１６（表示部の一例）およびＮＦＣ（Ｎｅａｒ  Ｆｉｅｌｄ  Ｃｏｍｍｕｎｉｃａｔｉｏｎ）インタフェース１７（情報読取部の一例）を備えている。
【００２３】
操作パネル１６は、タッチパネルであり、ユーザが操作および視認可能なように、筐体の外側に臨んで配置されている。操作パネル１６には、各種の情報やボタンなどの画像が表示される。ユーザが操作パネル１６に表示されるボタンを押操作することにより、その押操作が操作パネル１６に受け付けられて、その押操作に応じた信号が操作パネル１６から出力される。
【００２４】
ＮＦＣインタフェース１７は、ＮＦＣよる無線通信のためのインタフェースである。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣインタフェース１７は、筐体の外側に臨んで配置されるタッチ部を有している。ＮＦＣによる無線通信機能を有するＩＣカード６（媒体の一例）がタッチ部にタッチ（近接ないし接触）されると、そのＩＣカード６とＮＦＣインタフェース１７との間でＮＦＣ通信が確立されてデータ通信が可能となる。
【００２５】
ＭＦＰ１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１、フラッシュメモリやＥ２ＰＲＯＭなどのデータの書き換えが可能な不揮発性メモリ２２（記憶部の一例）およびＳＤＲＡＭなどの揮発性メモリ２３を備えている。画像形成部１１、画像読取部１２、ＬＡＮインタフェース１３、ＦＡＸインタフェース１４、ＵＳＢインタフェース１５、操作パネル１６、ＮＦＣインタフェース１７、ＡＳＩＣ２１、不揮発性メモリ２２および揮発性メモリ２３は、バス２４を介して、データ通信可能に接続されている。
【００２６】
ＡＳＩＣ２１は、ＣＰＵ２５（制御部の一例）を内蔵している。ＣＰＵ２５は、ＡＳＩＣ２１に入力される信号などに基づいて、各種の処理のためのプログラムを実行することにより、画像形成部１１、画像読取部１２、ＬＡＮインタフェース１３、ＦＡＸインタフェース１４、ＵＳＢインタフェース１５、操作パネル１６およびＮＦＣインタフェース１７などの各部を制御する。
【００２７】
不揮発性メモリ２２には、ＣＰＵ２５によって実行されるプログラムおよび各種のデータなどが記憶されている。
【００２８】
揮発性メモリ２３は、ＣＰＵ２５がプログラムを実行する際のワークエリアとして使用される。
【００２９】
＜登録処理＞
ＭＦＰ１では、ユーザは、自身のＩＣカード６を事前に登録しておけば、そのＩＣカード６をＮＦＣインタフェース１７のタッチ部にタッチすることにより、ＭＦＰ１にログインすることができる。また、ＭＦＰ１は、ショートカット機能を有している。そのため、ユーザは、スキャン機能などの各種機能に関する設定を登録しておき、登録済みのＩＣカード６と登録された設定（以下、「ショートカット設定」という。）とを紐づけておけば、ログイン状態でＩＣカード６をＮＦＣインタフェース１７のタッチ部にタッチすることにより、そのショートカット設定を呼び出すことができる。ショートカット設定の登録は、たとえば、ＰＣ（Personal Computer）やタブレットなどのユーザ端末のウェブブラウザを使用して、ＭＦＰ１に組み込まれているサーバ（ＥＷＳ：Embedded Web Server）のウェブサイトで行うことができる。
【００３０】
ＩＣカード６の登録およびＩＣカード６とショートカット設定との紐付けのために、ＡＳＩＣ２１のＣＰＵ２５により、図２に示される登録処理が実行される。
【００３１】
登録処理では、ＣＰＵ２５は、ログイン処理が成功したか否かを判断する（Ｓ１１）。ログイン処理は、ユーザがログイン操作を開始したことに応じて実行される。
【００３２】
ログイン操作の開始前、操作パネル１６には、たとえば、図３Ａに示される未ログイン画面が表示されている。この未ログイン画面では、各種の詳細機能に対応した複数の機能キー３１が横並びで表示される。また、未ログイン画面の上部には、ユーザ名表示ボックス３２が表示される。ユーザ名表示ボックス３２には、ＭＦＰ１にログイン中のユーザ名が表示される。ユーザが未ログイン状態であるときには、たとえば、「Ｐｕｂｌｉｃ」の文字が表示される。
【００３３】
ログイン操作では、まず、ユーザ名表示ボックス３２が押操作される。この押操作に応じて、操作パネル１６の表示画面が未ログイン画面から図３Ｂに示されるユーザメニュー画面に切り替わる。このユーザメニュー画面には、ユーザ切替ボタン３３が表示される。次に、ユーザ切替ボタン３３が押操作されると、操作パネル１６の表示画面がユーザメニュー画面から図３Ｃに示されるユーザ切替画面に切り替わる。
【００３４】
ユーザ切替画面には、ＭＦＰ１の使用権限を有する各ユーザのユーザ名が記されたユーザ名ボタン３４が縦に並べて表示される。図３Ｃの一例では、ユーザＡのユーザ名「ＵＳＥＲＡ」が記されたユーザ名ボタン３４のみが表示されている。ユーザ名ボタン３４の１つが押操作されると、操作パネル１６の表示画面がユーザ切替画面から図３Ｄに示されるパスワード（ＰＩＮ）入力画面に切り替わる。
【００３５】
パスワード入力画面には、その上部に、パスワード入力ボックス３５が表示される。パスワード入力ボックス３５の下側には、テンキー３６が表示される。パスワード入力ボックス３５の右側には、バックスペースキー３７が表示される。また、パスワード入力画面の右下角部には、ＯＫボタン３８が表示される。テンキー３６が押操作されると、パスワード入力ボックス３５にパスワードを構成する数字が入力される。バックスペースキー３７の押操作により、最後に入力された数字が消去される。
【００３６】
パスワードがパスワード入力ボックス３５に入力された後、ＯＫボタン３８が押操作されると、ＣＰＵ２５は、パスワード入力ボックス３５へのパスワードの入力が完了したと判断する。不揮発性メモリ２２には、ユーザ管理テーブルが記憶されている。ユーザ管理テーブルでは、図４Ａに示されるように、ＭＦＰ１の使用権限を有する各ユーザのユーザ名とパスワードとが対応づけて登録されている。ＣＰＵ２５は、パスワードの入力が完了したと判断すると、ユーザ名と入力されたパスワードとの組合せがユーザ管理テーブルに登録されているか否かを判断する。そして、その組合せがユーザ管理テーブルに登録されている場合、ＣＰＵ２５は、ユーザをログイン状態とするログイン処理が成功したと判断し、登録されていない場合、ログイン処理に失敗したと判断する。
【００３７】
ログイン処理が成功であった場合、ログイン中画面が操作パネル１６に表示される。ログイン中画面の構成は、図３Ｅに示されるように、未ログイン画面の構成と同じであり、ログイン中画面では、ユーザ名表示ボックス３２にログイン中のユーザ名、たとえば、ユーザＡのユーザ名「ＵＳＥＲＡ」が表示される。
【００３８】
ＣＰＵ２５は、ログイン処理が成功したと判断した場合（Ｓ１１：ＹＥＳ）、その判断から一定時間が経過したか否かを判断する（Ｓ１２）。ＣＰＵ２５は、一定時間が経過していないと判断した場合（Ｓ１２：ＮＯ）、ログイン中のユーザが自身のＩＣカード６を登録する操作を実施したか否かを判断する（Ｓ１３）。
【００３９】
ＩＣカード６を登録する操作では、ログイン中画面のユーザ名表示ボックス３２が押操作される。この押操作に応じて、操作パネル１６の表示画面がログイン中画面から図３Ｆに示されるユーザメニュー画面に切り替わる。このユーザメニュー画面には、ログアウトボタン４１、ユーザ切替ボタン４２およびカード登録ボタン４３が縦に並べて表示される。カード登録ボタン４３が押操作されると、ＣＰＵ２５は、ＩＣカード６を登録する操作が実施されたと判断し（Ｓ１３：ＹＥＳ）、操作パネル１６にカード登録画面を表示させる（Ｓ１４）。カード登録画面には、図３Ｇに示されるように、ＯＫボタン４４が表示される。また、カード登録画面には、ログイン中のユーザのユーザ名が表示されるとともに、ＩＣカード６をＮＦＣインタフェース１７のタッチ部にタッチした後にＯＫボタン４４を押操作することをユーザに促すメッセージが表示される。
【００４０】
ＩＣカード６がＮＦＣインタフェース１７のタッチ部にタッチされると、ＩＣカード６とＮＦＣインタフェース１７との間でのＮＦＣ通信により、ＩＣカード６からＮＦＣインタフェース１７にカード番号が読み取られる。カード番号は、ＩＣカード６に固有の番号であり、ＩＣカード６の識別情報であって、認証情報の一例でもある。カード番号が読み取られると、操作パネル１６の表示画面がカード登録画面から図３Ｈに示されるカード登録確認画面に切り替わる。カード登録確認画面には、ＯＫボタン４５が表示される。また、カード登録確認画面には、ログイン中のユーザのユーザ名およびＩＣカード６から読み取られたカード番号が表示されるとともに、ＯＫボタン４５を押操作することをユーザに促すメッセージが表示される。
【００４１】
ＣＰＵ２５は、カード登録確認画面のＯＫボタン４５が押操作されたと判断すると（Ｓ１５：ＹＥＳ）、ＩＣカード６からＮＦＣインタフェース１７に読み取られたカード番号をログイン中のユーザのユーザ名と紐づけてユーザ管理テーブルに登録する（Ｓ１６）。
【００４２】
また、カード登録確認画面のＯＫボタン４５が押操作されると、操作パネル１６の表示画面がカード登録確認画面から図３Ｉに示されるショートカット登録確認画面に切り替わる。ショートカット登録確認画面には、ログイン中のユーザのＩＣカード６にショートカット設定を紐づけて登録するか否かをユーザに問い合わせるメッセージとともに、ＹＥＳボタン４６およびＮＯボタン４７が横並びで表示される。
【００４３】
ユーザがショートカット登録確認画面でＹＥＳボタン４６を押操作すると、ＣＰＵ２５は、ショートカット設定の登録を行うと判断する（Ｓ１７：ＹＥＳ）。また、その押操作に応じて、操作パネル１６の表示画面がショートカット登録確認画面から図３Ｊに示されるショートカット選択画面に切り替わる。ショートカット選択画面には、複数のタブ４８が横並びで表示され、そのタブ４８の並びの下側に、選択中のタブ４８に対応づけられているショートカット設定を選択するショートカット選択ボタン４９が行列状に並べて表示される。
【００４４】
ユーザがショートカット選択ボタン４９の１つを押操作すると、ＣＰＵ２５は、ショートカット設定の選択が完了したと判断し（Ｓ１８：ＹＥＳ）、図４Ｂに示されるように、その選択されたショートカット設定とログイン中のユーザのＩＣカード６のカード番号とを紐づけて不揮発性メモリ２２に記憶させる（Ｓ１９）。
【００４５】
なお、ＣＰＵ２５は、ログイン処理が成功したと判断した後、ユーザによる操作が行われずに一定時間が経過すると、ログアウト処理を実行して、ユーザのログイン状態を解消する。この場合、登録処理の最初に戻り、ＣＰＵ２５は、ログイン処理が成功したか否かを判断する（Ｓ１１）。
【００４６】
＜カードタッチ処理＞
ＭＦＰ１の電源が投入されると、ＡＳＩＣ２１のＣＰＵ２５は、図５Ａおよび図５Ｂに示されるカードタッチ処理を実行する。ＭＦＰ１の電源の投入直後は、ＭＦＰ１にユーザがログインしていないログアウト状態（未ログイン状態）である。
【００４７】
カードタッチ処理では、ＣＰＵ２５は、ＩＣカード６がＮＦＣインタフェース１７のタッチ部にタッチされたか否かを判断する（Ｓ２１）。ＩＣカード６がＮＦＣインタフェース１７のタッチ部にタッチされるまで、カードタッチ処理は先に進まない。
【００４８】
ＩＣカード６がＮＦＣインタフェース１７のタッチ部にタッチされると、ＩＣカード６とＮＦＣインタフェース１７との間でのＮＦＣ通信により、ＩＣカード６からＮＦＣインタフェース１７にカード番号が読み取られる。カード番号が読み取られると、ＣＰＵ２５は、ＩＣカード６がＮＦＣインタフェース１７のタッチ部にタッチされたと判断する（Ｓ２１：ＹＥＳ）。そして、そのＩＣカード６から読み取られたカード番号がユーザ名と紐づけてユーザ管理テーブルに登録されているか否かを判断する（Ｓ２２：第１判断処理の一例）。
【００４９】
ＣＰＵ２５は、カード番号がユーザ名と紐づけてユーザ管理テーブルに登録されていると判断した場合（Ｓ２２：ＹＥＳ）、カード番号と紐づいたユーザ名のユーザをログイン状態とする（Ｓ２３：ログイン処理）。
【００５０】
その後、ＣＰＵ２５は、ログイン処理の後に一定時間が経過したか否かを判断する（Ｓ２４）。ＣＰＵ２５は、一定時間が経過していないと判断した場合（Ｓ２４：ＮＯ）、ＩＣカード６がＮＦＣインタフェース１７のタッチ部にタッチされたか否かを判断する（Ｓ２５）。ＩＣカード６がＮＦＣインタフェース１７のタッチ部にタッチされると、ＩＣカード６とＮＦＣインタフェース１７との間でのＮＦＣ通信により、ＩＣカード６からＮＦＣインタフェース１７にカード番号が読み取られる。
【００５１】
ＣＰＵ２５は、ＩＣカード６がＮＦＣインタフェース１７のタッチ部にタッチされたと判断した場合（Ｓ２５：ＹＥＳ）、そのＩＣカード６のカード番号から、ＩＣカード６がログイン中のユーザのものであるか否かを判断する（Ｓ２６）。ログイン中のユーザのＩＣカード６がＮＦＣインタフェース１７のタッチ部に再びタッチされた場合、ＣＰＵ２５は、ＩＣカード６がログイン中のユーザのものであると判断し（Ｓ２６：ＹＥＳ）、そのＩＣカード６のカード番号と紐づいたショートカット設定が不揮発性メモリ２２に記憶されているか否かを判断する（Ｓ２７）。
【００５２】
そして、ＣＰＵ２５は、カード番号と紐づいたショートカット設定が不揮発性メモリ２２に記憶されていると判断した場合（Ｓ２７：ＹＥＳ）、そのショートカット設定を操作パネル１６に呼び出す（Ｓ２８）。このとき、操作パネル１６には、図６Ａに示されるように、ショートカット設定を不揮発性メモリ２２から読み出している旨を報知するローディング画面が表示された後、ショートカット設定（表示情報の一例）の内容を表示する設定内容表示画面が表示される。
【００５３】
ＣＰＵ２５は、カード番号と紐づいたショートカット設定が不揮発性メモリ２２に記憶されていないと判断した場合には（Ｓ２７：ＮＯ）、拒否音を鳴動させる（Ｓ２９）。これにより、ユーザにＩＣカード６と紐づいたショートカット設定が存在しない旨を認知させることができる。
【００５４】
また、ＣＰＵ２５は、ＮＦＣインタフェース１７のタッチ部に再びタッチされたＩＣカード６がログイン中のユーザのものではないと判断した場合（Ｓ２６：ＮＯ）、ユーザ切替処理を実行する（Ｓ３０）。ユーザ切替処理では、ユーザのログイン状態が解消された後、新たにタッチされたＩＣカード６のカード番号がユーザ管理テーブルに登録されている場合、カード番号と紐づけてユーザ管理テーブルに登録されているユーザ名のユーザがログイン状態とされる。
【００５５】
ログイン処理の実行後、ユーザによる操作が行われずに一定時間が経過した場合には（Ｓ２４：ＹＥＳ）、ＣＰＵ２５は、ログアウト処理を実行して（Ｓ３１）、ユーザのログイン状態を解消する。この場合、カードタッチ処理の最初に戻り、ＣＰＵ２５は、ＩＣカード６がＮＦＣインタフェース１７のタッチ部にタッチされたか否かを判断する（Ｓ２１）。
【００５６】
一方、ＣＰＵ２５は、ＩＣカード６からＮＦＣインタフェース１７に読み取られたカード番号がユーザ管理テーブルに登録されていないと判断した場合（Ｓ２２：ＮＯ）、カード番号と紐づいたショートカット設定が不揮発性メモリ２２に記憶されているか否かを判断する（図５ＢのＳ３２）。
【００５７】
たとえば、ＭＦＰ１の管理者によって、特定の機能についてのショートカット設定と特定のカード番号とが紐づけられて不揮発性メモリ２２に登録される場合がある。この場合、カード番号がユーザ管理テーブルに登録されていないが、カード番号と紐づいたショートカット設定が不揮発性メモリ２２に記憶されている。ＣＰＵ２５は、カード番号と紐づいたショートカット設定が不揮発性メモリ２２に記憶されていると判断した場合（Ｓ３２：ＹＥＳ）、そのショートカット設定に係る機能がログイン状態ではないユーザにより使用可能であるか否かを判断する（Ｓ３３）。そして、ＣＰＵ２５は、ログイン状態ではないユーザにより使用可能な機能であると判断した場合（Ｓ３３：ＹＥＳ）、カード番号と紐づいたショートカット設定を操作パネル１６に呼び出す（Ｓ３４）。その後、ＣＰＵ２５は、ＩＣカード６がＮＦＣインタフェース１７のタッチ部にタッチされたか否かを再び判断する（Ｓ２１）。ＩＣカード６がタッチされたか否かの判断は、操作パネル１６に呼び出されたショートカット設定に係る機能の実行後、または、そのショートカット設定に係る機能の実行がキャンセルされて、図３Ａに示される未ログイン画面が操作パネル１６に表示された後に行われてもよい。
【００５８】
一方、ＣＰＵ２５は、ログイン状態ではないユーザにより使用可能な機能ではないと判断した場合（Ｓ３３：ＮＯ）、カード番号と紐づいたショートカット設定に係る機能を使用する権限がないことをユーザに伝えるエラー画面を操作パネル１６に表示させる（Ｓ３５）。エラー画面の一例は、図６Ｂに示されている。その後、ＣＰＵ２５は、ＩＣカード６がＮＦＣインタフェース１７のタッチ部にタッチされたか否かを再び判断する（Ｓ２１）。ＩＣカード６がタッチされたか否かの判断は、エラー画面を閉じる操作が行われて、図３Ａに示される未ログイン画面が操作パネル１６に表示された後に行われてもよい。
【００５９】
また、ＣＰＵ２５は、カード番号と紐づいたショートカット設定が不揮発性メモリ２２に記憶されていないと判断した場合には（Ｓ３２：ＮＯ）、ＮＦＣインタフェース１７のタッチ部にタッチされたＩＣカード６が未登録カードであることをユーザに伝える未登録通知画面を操作パネル１６に表示させる（Ｓ３６）。未登録通知画面の一例は、図６Ｃに示されている。その後、ＣＰＵ２５は、ＩＣカード６がＮＦＣインタフェース１７のタッチ部にタッチされたか否かを再び判断する（Ｓ２１）。ＩＣカード６がタッチされたか否かの判断は、未登録通知画面を閉じる操作が行われて、図３Ａに示される未ログイン画面が操作パネル１６に表示された後に行われてもよい。
【００６０】
＜作用効果＞
以上のように、ログアウト状態でＩＣカード６のカード番号がＮＦＣインタフェース１７に読み取られた場合には、そのカード番号がユーザ名と紐づけて不揮発性メモリ２２（ユーザ管理テーブル）に記憶されているか否かが判断されて、カード番号およびユーザ名が不揮発性メモリ２２に記憶されている場合には、そのユーザ名のユーザをログアウト状態からログイン状態に遷移させるログイン処理が実行される。また、ログイン状態でＩＣカード６のカード番号がＮＦＣインタフェース１７に読み取られた場合には、カード番号に対応するショートカット設定が不揮発性メモリ２２に記憶されているか否かが判断されて、ショートカット設定が不揮発性メモリ２２に記憶されている場合には、そのショートカット設定を操作パネル１６に呼び出して表示させる処理が実行される。
【００６１】
よって、ＩＣカード６からのカード番号の読み取りに応じて適切な処理を実行することができる。
【００６２】
ログイン処理の実行後、ユーザによる操作が行われずに一定時間が経過した場合には、ログアウト処理が実行されて、ユーザのログイン状態が解消される。これにより、ユーザのログイン状態が不要に長く続くことを抑制できる。その一方で、ユーザがログイン状態になってから一定時間が経過するまでに、そのユーザがＩＣカード６をＮＦＣインタフェース１７のタッチ部に再びタッチすることにより、ユーザがＩＣカード６を使用してショートカット設定を呼び出すことができる。
【００６３】
また、カード番号と紐づいたユーザ名が不揮発性メモリ２２に記憶されていなくても、カード番号と紐づいたショートカット設定が不揮発性メモリ２２に記憶されている場合には、そのショートカット設定に係る機能の使用権限の範囲内で、ショートカット設定が操作パネル１６に呼び出される。そのため、ユーザ名と紐づけてカード番号を不揮発性メモリ２２に登録していないユーザにとっても、ＭＦＰ１を使い勝手のよい便利な装置とすることができる。
【００６４】
ログイン中のユーザとは別のユーザが自己のＩＣカード６をＮＦＣインタフェース１７のタッチ部にタッチした場合には、ユーザ切替処理が実行されて、ユーザのログイン状態が解消される。そして、新たにタッチされたＩＣカード６のカード番号がユーザ管理テーブルに登録されている場合、カード番号と紐づけてユーザ管理テーブルに登録されているユーザ名のユーザがログイン状態とされる。これにより、ログイン中のユーザとは別のユーザのＩＣカード６からカード番号が読み取られた場合にも、そのカード番号の読み取りに応じて適切な処理を実行することができる。
【００６５】
＜変形例＞
以上、本発明の一実施形態について説明したが、本発明は、他の形態で実施することもできる。
【００６６】
たとえば、前述の実施形態では、ユーザ名、パスワードおよびカード番号が紐づけて登録されるユーザ管理テーブル、ならびにカード番号と紐づけられたショートカット設定がＭＦＰ１の不揮発性メモリ２２に記憶されているとした。しかし、ユーザ名、パスワードおよびカード番号が紐づけて登録されるユーザ管理テーブル、ならびにカード番号と紐づけられたショートカット設定は、ＭＦＰ１と通信可能に接続されたサーバ５に記憶されていてもよい。
【００６７】
また、前述の実施形態では、外部の媒体の一例がＩＣカード６であり、情報読取部の一例がＮＦＣ通信でＩＣカード６からカード番号を読み取るＮＦＣインタフェース１７である場合を例にとった。しかし、外部の媒体の一例が磁気カードであり、情報読取部の一例が磁気カードリーダであってもよい。また、外部の媒体の一例が一次元バーコードを有する媒体であり、情報読取部の一例がバーコードリーダであってもよい。外部の媒体の一例がＱＲコード（登録商標）を有する媒体であり、情報読取部の一例がＱＲコードリーダであってもよい。さらには、外部の媒体の一例がＢｌｕｅｔｏｏｔｈ（登録商標）による無線通信が可能な通信端末であり、情報読取部の一例が外部の媒体の一例がＢｌｕｅｔｏｏｔｈ（登録商標）による無線通信が可能なインタフェースであってもよい。外部の媒体の一例がＷｉ−Ｆｉ（登録商標）による無線通信が可能な通信端末であり、情報読取部の一例が外部の媒体の一例がＷｉ−Ｆｉ（登録商標）による無線通信が可能なインタフェースであってもよい。
【００６８】
さらに、前述の実施形態では、ＣＰＵ２５が各処理を実行する場合について説明した。しかしながら、ＡＳＩＣ２１が複数のＣＰＵを備え、複数のＣＰＵが協働して各処理を実行してもよい。
【００６９】
その他、前述の構成には、特許請求の範囲に記載された事項の範囲で種々の設計変更を施すことが可能である。
【符号の説明】
【００７０】
１：ＭＦＰ
６：ＩＣカード
１１：画像形成部
１２：画像読取部
１６：操作パネル
１７：ＮＦＣインタフェース
２２：不揮発性メモリ
２５：ＣＰＵ
【図１】
2020068480.tif 000003
【図２】
2020068480.tif 000004
【図３Ａ】
2020068480.tif 000005
【図３Ｂ】
2020068480.tif 000006
【図３Ｃ】
2020068480.tif 000007
【図３Ｄ】
2020068480.tif 000008
【図３Ｅ】
2020068480.tif 000009
【図３Ｆ】
2020068480.tif 000010
【図３Ｇ】
2020068480.tif 000011
【図３Ｈ】
2020068480.tif 000012
【図３Ｉ】
2020068480.tif 000013
【図４Ａ】
2020068480.tif 000014
【図４Ｂ】
2020068480.tif 000015
【図５Ａ】
2020068480.tif 000016
【図５Ｂ】
2020068480.tif 000017
【図６Ａ】
2020068480.tif 000018
【図６Ｂ】
2020068480.tif 000019
【図６Ｃ】
2020068480.tif 000020